(57)【要約】      （修正有）【課題】既存の窓を利用し、雨が吹き込みにくく施工費を抑えることができる換気装置を提供する。【解決手段】建物の屋外側で窓枠より屋外側に突出させて窓枠の周囲に取り付けられる換気装置であって、カバー１０が窓枠より下方に開口１７を有する。カバー１０は窓枠の両側部と上部と正面部とを覆うよう建物に取付け可能である。防雨板２０が建物から離れた側の開口１７の縁部に開口を開閉する方向に風圧で揺動可能に設けられる。カバーは天井板１１と１対の側板１２と正面板１３とを有する。各側板は、内側板と外側板とを有する。内側板と外側板とは間隙をあけて設けられ、それぞれ外側に突出して下側を向いた通風口１４を有する。【選択図】図１
0003208332.tif 000002
【実用新案登録請求の範囲】
【請求項１】
建物の屋外側で窓枠より屋外側に突出させて前記窓枠の周囲に取り付けられる換気装置であって、
前記窓枠より下方に開口を有し、前記窓枠の両側部と上部と正面部とを覆うよう前記建物に取付け可能なカバーと、
前記建物から離れた側の前記開口の縁部に前記開口を開閉する方向に風圧で揺動可能に設けられた防雨板とを、
有することを特徴とする換気装置。
【請求項２】
前記カバーは天井板と１対の側板と正面板とを有し、
前記天井板は細長い板から成り、
各側板は前記天井板の片面の両端に互いに対向して伸びるよう設けられ、下端が前記建物から離れた側から建物側にかけて下がるよう傾斜しており、
前記天井板または各側板は建物側の側縁部で前記建物に取り付け可能に構成され、
前記正面板は少なくとも一部が透明または半透明であって、前記天井板および各側板の前記建物から離れた側の側縁部に沿って前記天井板および各側板の内側を塞ぐよう取り付けられ、
前記防雨板は前記開口を塞ぐことが可能な大きさを有し、各側板の前記下端の前記建物から離れた側に、前記正面板より下方に垂れ下がった位置から前記開口を塞ぐ位置まで風圧で揺動可能に取り付けられていることを、
特徴とする請求項１記載の換気装置。
【請求項３】
各側板は、内側板と外側板とを有し、前記内側板と前記外側板とは間隙をあけて設けられ、それぞれ外側に突出して下側を向いた通風口を有することを、
特徴とする請求項２記載の換気装置。
【請求項４】
各側板は、内側板と外側板とシャッター板とを有し、前記内側板と前記外側板とは間隙をあけて設けられ、前記内側板は外側に突出して下側を向いた通風口を有し、前記外側板は外側開口を有し、前記シャッター板は前記外側開口を塞ぐことが可能な大きさを有し、前記外側開口の上縁に、外側に開いた位置から前記外側開口を塞ぐ位置まで揺動可能に取り付けられ、前記外側開口を常態で開き、外側からの風圧で閉じるよう付勢されていることを、特徴とする請求項２記載の換気装置。
【考案の詳細な説明】
【技術分野】
【０００１】
本考案は、建物の屋外側で窓枠より屋外側に突出させて窓枠の周囲に取り付けられる換気装置に関する。
【背景技術】
【０００２】
従来、窓開口部に沿って上下に長い換気スリットを形成し、障子を完全に閉めたまま、室内の換気ができる換気装置が開示されている（例えば、特許文献１参照）。
【先行技術文献】
【特許文献】
【０００３】
【特許文献１】特開２００１−２０６３２号公報
【考案の概要】
【考案が解決しようとする課題】
【０００４】
しかしながら、特許文献１の換気装置は、窓の施工の際に同時に施工する必要があるため、既存の窓に設置する場合、窓枠ごと交換しなくてはならず、施工費がかさむという課題があった。
【０００５】
本考案は、このような課題に着目してなされたもので、既存の窓を利用し、施工費を抑えることができる換気装置を提供することを目的とする。
【課題を解決するための手段】
【０００６】
上記目的を達成するために、本考案に係る換気装置は、建物の屋外側で窓枠より屋外側に突出させて前記窓枠の周囲に取り付けられる換気装置であって、前記窓枠より下方に開口を有し、前記窓枠の両側部と上部と正面部とを覆うよう前記建物に取付け可能なカバーと、前記建物から離れた側の前記開口の縁部に前記開口を開閉する方向に風圧で揺動可能に設けられた防雨板とを、有することを特徴とする。
【０００７】
本考案に係る換気装置では、カバーを、窓枠の両側部と上部と正面部とを覆うよう取付け可能なため、既存の窓を利用して施工費を抑えることができる。換気は、窓を開けた状態でカバーの開口を通して行うことができる。また、台風や強い雨のときに窓を閉め忘れても、防雨板が開口の前で雨を遮り、風圧で開口を閉じる方向に揺動するため、雨が開口から吹き込みにくくすることができる。
なお、本明細書において、「窓」の範疇には、ガラス窓のほか、ガラリ、戸を含む。
【０００８】
本考案に係る換気装置において、前記カバーは天井板と１対の側板と正面板とを有し、前記天井板は細長い板から成り、各側板は前記天井板の片面の両端に互いに対向して伸びるよう設けられ、下端が前記建物から離れた側から建物側にかけて下がるよう傾斜しており、前記天井板または各側板は建物側の側縁部で前記建物に取り付け可能に構成され、前記正面板は少なくとも一部が透明または半透明であって、前記天井板および各側板の前記建物から離れた側の側縁部に沿って前記天井板および各側板の内側を塞ぐよう取り付けられ、前記防雨板は前記開口を塞ぐことが可能な大きさを有し、各側板の前記下端の前記建物から離れた側に、前記正面板より下方に垂れ下がった位置から前記開口を塞ぐ位置まで風圧で揺動可能に取り付けられていることが好ましい。
【０００９】
本考案に係る換気装置において、各側板は、内側板と外側板とを有し、前記内側板と前記外側板とは間隙をあけて設けられ、それぞれ外側に突出して下側を向いた通風口を有することが好ましい。
この場合、１対の側板の通風口からも換気ができる。また、各側板は内側板と外側板とで二重になっており、さらに通風口は下側を向いているため、雨が吹き込みにくい。
【００１０】
本考案に係る換気装置において、各側板は、内側板と外側板とシャッター板とを有し、前記内側板と前記外側板とは間隙をあけて設けられ、前記内側板は外側に突出して下側を向いた通風口を有し、前記外側板は外側開口を有し、前記シャッター板は前記外側開口を塞ぐことが可能な大きさを有し、前記外側開口の上縁に、外側に開いた位置から前記外側開口を塞ぐ位置まで揺動可能に取り付けられ、前記外側開口を常態で開き、外側からの風圧で閉じるよう付勢されていてもよい。
【００１１】
この場合、窓を開けた状態で外側開口からも換気を行うことができる。台風や強い雨のときに窓を閉め忘れても、シャッター板が外側開口の前で雨を遮り、風圧で外側開口を閉じる方向に揺動するため、雨が外側開口から吹き込みにくい。また、１対の側板は内側板と外側板とで二重になっているため、雨が吹き込みにくい。
【考案の効果】
【００１２】
本考案によれば、既存の窓を利用し、施工費を抑えることができる換気装置を提供することができる。
【図面の簡単な説明】
【００１３】
【図１】本考案の第１の実施の形態の換気装置を示す斜視図である。
【図２】図１の換気装置の天井板を外した状態の平面図である。
【図３】本考案の第２の実施の形態の換気装置を示す斜視図である。
【考案を実施するための形態】
【００１４】
以下、図面に基づき本考案の実施の形態について説明する。
図１および図２は、本考案の実施の形態を示している。
図１および図２に示すように、本考案の第１の実施の形態の換気装置１は、カバー１０と防雨板２０とを有している。カバー１０は、天井板１１と１対の側板１２と正面板１３とを有している。天井板１１と１対の側板１２と正面板１３とは、アルミ材や、ＡＢＳ樹脂、ＦＲＰ樹脂等から成ることが好ましい。ＡＢＳ樹脂やＦＲＰ樹脂から成る場合、加工や取付が容易になり、サイズの小型化およびコストの軽減を図ることができる。天井板１１は、長方形状の細長い板状で、ポリカーボネートなどの透明なプラスチックから成っている。
【００１５】
各側板１２は、内側板１２ａと外側板１２ｂとを有している。内側板１２ａおよび外側板１２ｂは、それぞれ同一の大きさで、同一の台形状の細長い板から成っている。内側板１２ａと外側板１２ｂとは、間隙をあけて設けられ、それぞれパンチングメタルにより外側に突出して下側を向いた通風口１４を有している。各側板１２は、天井板１１の片面の両端に互いに対向して垂直に伸びるよう設けられている。各側板１２は、下端が建物から離れた側から建物側にかけて下がるよう傾斜している。各側板１２は、取付シャシー１５により、窓枠２の両側部と上部と正面部とを覆うよう建物の屋外側に取り付け可能である。カバー１０は、建物側の側縁部に下向きのフックを有し、取付シャシー１５に設けられた上向きのフックと係合させることにより取付シャシー１５に取り付けられる。取付シャシー１５と建物外壁との間には、ブチルゴム製の防水テープが設けられている。カバー１０は、建物の屋外側で窓枠２より屋外側に突出させて窓枠２の周囲に取り付けられる。窓枠２には、可動ガラリ３が設けられている。可動ガラリ３は、手動または電動で開閉可能である。
【００１６】
正面板１３は、長方形状の板状で、ポリカーボネートなどの透明なプラスチックから成っている。正面板１３は、天井板１１および各側板１２の建物から離れた側の側縁部に沿って天井板１１および各側板１２の内側を塞ぐよう取り付けられている。正面板１３の外側周囲には、アルミニウムなどから成るフレーム材１６が取り付けられている。カバー１０は、窓枠２に取り付けたとき、窓枠２より下方となる位置に開口１７を有する。
【００１７】
防雨板２０は、ほぼ長方形状で、開口１７を塞ぐことが可能な大きさを有している。防雨板２０は、下縁部２１が外側に折れ曲がっている。防雨板２０は、各側板１２の下端の建物から離れた側の開口１７の縁部に、正面板１３より下方に垂れ下がった位置から開口１７を塞ぐ位置まで揺動可能に軸部材で取り付けられている。防雨板２０は、常態では自重で下方に垂れ下がっているが、下端にバランサー調整重りが取り付けられていてもよい。バランサー調整重りは、重さを変えたり位置を変えたりできることが好ましい。防雨板２０は、平板ばねにより下方に垂れ下がった位置に付勢されていてもよい。防雨板２０は、開口１７を開閉する方向に風圧で揺動可能となっている。各側板１２の防雨板２０が当接する位置には、防音パッキン材が取り付けられている。防音パッキン材は、各側板１２に取り付けられる代わりに、防雨板２０の側板１２に当接する位置に取り付けられてもよい。
【００１８】
カバー１０には、外部からのチリやホコリが室内に入り込むのを防ぐため、フィルターを取り付けてもよい。また、自然換気だけなく、ファンなどによる機械換気を併用してもよい。換気装置１の取付場所は、部屋全体の空気の流れを考慮して決定することが望ましい。
【００１９】
次に、作用について説明する。
図１および２に示す本考案の実施の形態の換気装置１は、カバー１０を、窓枠２の両側部と上部と正面部とを覆うよう取付け可能なため、既存の窓を利用して施工費を抑えることができる。換気は、窓を開けた状態でカバー１０の開口１７を通して、室内空気と外気との室内温度差を利用して行うことができる。また、台風や強い雨のときに窓を閉め忘れても、防雨板２０が開口１７の前で雨を遮り、風圧で開口１７を閉じる方向に揺動するため、横風でも雨が開口１７から吹き込みにくくすることができる。換気装置１は、電気等の動力を使用せずに、自然の風力と防雨板２０の自重を利用して、カバー１０の開口１７を開閉することができる。
【００２０】
本考案の実施の形態の換気装置１は、両側板１２の通風口１４からも換気ができる。また、各側板１２は内側板１２ａと外側板１２ｂとで二重になっており、さらに通風口１４は下側を向いているため、雨が吹き込みにくい。
【００２１】
特に、本考案の実施の形態の換気装置１は、以下の作用・効果を奏する。
１．２４時間、窓を開けたままでも雨が室内に入るのを防ぐことができる（台風や強風時は窓を閉めることが望ましい。）。このため、窓を閉め忘れても、雨が室内に入り込むのを心配する必要がない。
２．インフルエンザ等の空気感染症の予防・抑制ができる。
３．給食センターなどの衛生面で雨の侵入が許されない場所で、雨の吹込みを防ぎながら、換気を行うことができる。なお、作業終了時には、窓またはガラリを閉めることが望ましい。
４．換気を促進するので、カビ・ダニ等の発生を抑制できる。
５．天井付近の高い位置に取り付けることにより、生活空間ではほとんど寒さを感じさせない。
６．冬季の学校の教室は換気不足になりがちであるが、本考案の実施の形態の換気装置１により常時換気を図ることができる。
７．シックハウス症候群・化学物質過敏症・環境ホルモン症候群などを抑制することができる。
【００２２】
次に、本考案の第２の実施の形態の換気装置について説明する。
図３は、本考案の実施の形態を示している。
図３に示すように、本考案の第２の実施の形態の換気装置１ａは、カバー１０ａと防雨板２０とを有している。カバー１０ａは、天井板１１と１対の側板３２と正面板１３とを有している。各側板３２は、内側板１２ａと外側板３２ａとシャッター板３３とを有している。本考案の第２の実施の形態の換気装置１ａは、側板３２およびシャッター板３３を除いて第１の実施の形態の換気装置１と同一の構成を有している。従って、第１の実施の形態の換気装置１と同一の部位には、同一の符号を付し、重複した説明を省略する。
【００２３】
外側板３２ａは、上部に長方形状の外側開口３４を有している。シャッター板３３は、長方形状で、外側開口３４を塞ぐことが可能な大きさを有している。シャッター板３３は、下縁部３３ａが外側に折れ曲がっている。シャッター板３３は、外側開口３４の上縁に、外側に開いた位置から外側開口３４を塞ぐ位置まで揺動可能に取り付けられている。シャッター板３３は、平板バネにより外側開口３４を常態で開き、外側からの風圧で閉じるよう付勢されている。
【００２４】
図３に示す本考案の第２の実施の形態の換気装置１ａでは、窓を開けた状態で外側開口３４からも換気を行うことができる。台風や強い雨のときに窓を閉め忘れても、シャッター板３３が外側開口３４の前で雨を遮り、風圧で外側開口３４を閉じる方向に揺動するため、雨が外側開口３４から吹き込みにくい。また、各側板３２は内側板１２ａと外側板３２ａとで二重になっているため、雨が吹き込みにくい。換気装置１ａは、電気等の動力を使用せずに、自然の風力と防雨板２０およびシャッター板３３の自重またはばねの力を利用して、カバー１０の開口１７および外側開口３４を開閉することができる。
【符号の説明】
【００２５】
１，１ａ  換気装置
２  窓枠
３  可動ガラリ
１０，１０ａ  カバー
１１  天井板
１２  側板
１２ａ  内側板
１２ｂ  外側板
１３  正面板
１４  通風口
１５  取付シャシー
１６  フレーム材
１７  開口
２０  防雨板
３２  側板
３２ａ  外側板
３３  シャッター板
【図１】
0003208332.tif 000003
【図２】
0003208332.tif 000004
【図３】
0003208332.tif 000005